(57)【要約】【課題】タッチインタラクションを用いる超音波診断装置を開示する。【解決手段】超音波診断装置は、超音波映像を生成する超音波映像生成部と、ユーザからタッチインタラクションが入力されるタッチ入力部と、タッチ入力部におけるタッチインタラクションを感知する感知センサと、感知されたタッチインタラクションによって超音波映像を処理するための操作を制御する制御部と、制御部の制御によって超音波映像を表示する表示部とを含み、タッチインタラクションは、タッチ入力部に対するマルチタッチが可能な１つ以上のタッチ操作を含む。【選択図】図１
2010269139.tif 000002
【特許請求の範囲】
【請求項１】
超音波映像を生成する超音波映像生成部と、
ユーザからタッチインタラクションが入力されるタッチ入力部と、
前記タッチ入力部における前記タッチインタラクションを感知する感知センサと、
前記感知されたタッチインタラクションの指令内容に従って前記超音波映像を制御する制御部と、
前記制御部の制御に従って前記超音波映像を表示する表示部と、
を含み、
前記タッチインタラクションは、前記タッチ入力部に対するマルチタッチが可能な１つ以上のタッチ操作を含む超音波診断装置。
【請求項２】
前記制御部は、
前記超音波映像をスキャンしている時、前記タッチ入力部が前記タッチインタラクションを感知すると、その指令内容に従って前記超音波映像に対するイメージまたは状態を変更するように制御する請求項１に記載の超音波診断装置。
【請求項３】
前記制御部は、
前記超音波映像をスキャンしている時、前記感知されたタッチインタラクションが上下にドラッグする操作である場合、前記超音波映像のイメージに対する表示の深さを調節するように制御する請求項２に記載の超音波診断装置。
【請求項４】
前記制御部は、
前記超音波映像をスキャンしている時、前記感知されたタッチインタラクションが１回のクリック操作である場合、前記超音波映像の最後のイメージを表示するフリーズ（凍結）状態に変更するように制御する請求項２に記載の超音波診断装置。
【請求項５】
前記制御部は、
前記超音波映像をスキャンしている時、前記感知されたタッチインタラクションが２つの地点をドラッグする操作である場合、前記超音波映像のズーム機能を働かせるように制御する請求項２に記載の超音波診断装置。
【請求項６】
前記制御部は、
前記超音波映像をスキャンしている時、前記感知されたタッチインタラクションが円形ドラッグ操作である場合、前記超音波映像を回転するように制御する請求項２に記載の超音波診断装置。
【請求項７】
前記制御部は、
前記超音波映像をスキャンしている時、前記感知されたタッチインタラクションが１地点を押し続ける操作である場合、前記超音波映像に対するシネ（Ｃｉｎｅ）イメージを格納するように制御する請求項２に記載の超音波診断装置。
【請求項８】
前記制御部は、
前記フリーズ状態において、前記感知されたタッチインタラクションが１回のクリックである場合、前記超音波映像をライブ状態に変更するように制御する請求項４に記載の超音波診断装置。
【請求項９】
前記制御部は、
前記フリーズ状態において、前記感知されたタッチインタラクションが左右に速度差を有する線形の動きである場合、イメージ探索バーの移動を制御する請求項４に記載の超音波診断装置。
【請求項１０】
前記制御部は、
前記フリーズ状態において、前記感知されたタッチインタラクションがサムネイルに対して上下または左右に速度差を有する線形の動きである場合、サムネイルページを転換するように制御する請求項４に記載の超音波診断装置。
【請求項１１】
前記制御部は、
前記フリーズ状態において、前記感知されたタッチインタラクションが１地点を押し続ける操作である場合、前記超音波映像に対するイメージを格納するように制御する請求項４に記載の超音波診断装置。
【請求項１２】
前記制御部は、
前記超音波映像を表示するモード別に、前記感知されたタッチインタラクションに対応する超音波映像の表示状態（表示モード）を変更させるように制御する請求項１に記載の超音波診断装置。
【請求項１３】
前記制御部は、
前記超音波映像を表示する前記モードがＭモードであり、前記感知されたタッチインタラクションが左右にドラッグする操作である場合、ｍライン（Ｍモードライン）を移動させるように制御する請求項１２に記載の超音波診断装置。
【請求項１４】
前記制御部は、
前記超音波映像を表示する前記モードがＰＷモードであり、前記感知されたタッチインタラクションが上下または左右にドラッグする操作である場合、ＳＶ（Ｓａｍｐｌｅ  Ｖｏｌｕｍｅ）の位置を移動するように制御し、また、前記感知されたタッチインタラクションが同時に２つ以上の地点をタッチする操作である場合、前記ＳＶの大きさを変更するように制御する請求項１２に記載の超音波診断装置。
【請求項１５】
前記制御部は、
前記超音波映像を表示する前記モードがＣモードであり、前記感知されたタッチインタラクションが上下または左右にドラッグする操作である場合、ＲＯＩの位置を変更するように制御し、また、前記感知されたタッチインタラクションが同時に２つ以上の地点をタッチする操作である場合、前記ＲＯＩの大きさを変更するように制御する請求項１２に記載の超音波診断装置。
【請求項１６】
前記制御部は、
前記超音波映像を表示する前記モードがＰＤモードであり、前記感知されたタッチインタラクションが上下または左右にドラッグする操作である場合、ＲＯＩの位置を変更するように制御し、また、前記感知されたタッチインタラクションが同時に２つ以上の地点をタッチする操作である場合、前記ＲＯＩの大きさを変更するように制御する請求項１２に記載の超音波診断装置。
【請求項１７】
前記制御部は、
前記超音波映像を表示する前記モードが３Ｄスタンバイ状態であり、前記感知されたタッチインタラクションが上下または左右にドラッグする操作である場合、ＲＯＩの位置を変更するように制御し、また、前記感知されたタッチインタラクションが同時に２つ以上の地点をタッチする操作である場合、前記ＲＯＩの大きさを変更するように制御する請求項１２に記載の超音波診断装置。
【発明の詳細な説明】
【技術分野】
【０００１】
本発明は、タッチインタラクションを用いる超音波診断装置に関し、より詳細には、タッチインタラクションによって必要なボタンの数を減少させ、更にユーザによる操作手順を少なくすることができる超音波診断装置に関する。
【背景技術】
【０００２】
一般に、超音波診断装置は、超音波信号を送信および受信するために広帯域特性を有するトランスデューサで構成されたプローブを備えている。超音波診断装置は、そのトランデューサを電気的に励振することにより、超音波信号を生成して人体に伝達させる。その超音波信号は、人体内部の組職の境界で反射して超音波エコー信号としてトランスデューサに戻り、再び電気的信号に変換される。超音波診断装置は、その変換された電気的信号を増幅および信号処理して、組職を映像するための超音波映像データを生成し、表示部に表示する。
【０００３】
最近、市場に出回っているポータブル超音波診断装置は、非常に軽量かつ小型であるにもかかわらず既存のカートの付いた装置と同等の機能と性能を有している。しかしながら、従来のポータブル超音波診断装置は、１〜２インチのトラックボールを用いているため、装置の小型化に限界がある。
【０００４】
また、従来のポータブル超音波診断装置は、装置を小さくすると入力に使用するボタンなどの配置に十分なスペースが確保されないため、使用上において優先順位が低い機能を削除して、限られた数のボタンだけを配置している。
【発明の概要】
【発明が解決しようとする課題】
【０００５】
本発明は、タッチインタラクションを用いることにより必要な多様な機能を提供しながらも、必要なボタンの数を減らして製品を小型化することができる超音波診断装置を提供することにある。
【０００６】
また、本発明は、タッチインタラクションを適用することにより、機能操作を行うための手順を少なくすることができる超音波診断装置を提供する。
【課題を解決するための手段】
【０００７】
本発明の一実施形態に係る超音波診断装置は、超音波映像を生成する超音波映像生成部と、ユーザからタッチインタラクションが入力されるタッチ入力部と、前記タッチ入力部におけるタッチインタラクションを感知する感知センサと、前記感知されたタッチインタラクションに従って前記超音波映像を処理するための操作を制御する制御部と、前記制御部の制御によって前記超音波映像を表示する表示部とを有し、前記タッチインタラクションは、前記タッチ入力部に対しマルチタッチが可能な１つ以上のタッチ操作を含む。
【発明の効果】
【０００８】
本発明によれば、タッチインタラクションを適用することにより、必要な多様な機能を提供しながらも必要なボタンの数を減らして製品を小型化した超音波診断装置を提供することができる。
【０００９】
また、本発明によれば、タッチインタラクションを適用することにより、機能操作の手順を少なくした超音波診断装置を提供することができる。
【図面の簡単な説明】
【００１０】
【図１】本発明の一実施形態に係る超音波診断装置の構成を示す図である。
【図２】本発明に係るタッチインタラクションの一例としてドラッグ操作を示す図である。
【図３】本発明に係るタッチインタラクションの一例としてタップ操作を示す図である。
【図４】本発明に係るタッチインタラクションの一例として円形ドラッグ操作を示す図である。
【図５】本発明に係るタッチインタラクションの一例としてロングタップ操作を示す図である。
【図６】本発明に係るタッチインタラクションの一例としてフリック操作を示す図である。
【図７】Ｍモードにおいて、本発明に係るタッチインタラクションによる変更事項を示す図である。
【図８】ＰＷ（パルス波）モードにおいて、本発明に係るタッチインタラクションによる変更事項を示す図である。
【図９】Ｃ（カラー）／ＰＤ（パワードプラー）モードまたは３Ｄ（３次元）スタンバイ状態において、本発明に係るタッチインタラクションによる変更事項を示す図である。
【発明を実施するための形態】
【００１１】
以下、添付の図面を参照しながら、タッチインタラクションを適用する超音波診断装置について詳細に説明する。
【００１２】
図１は、本発明の一実施形態に係る超音波診断装置の構成を示す図である。
【００１３】
図１に示すように、本発明の一実施形態に係る超音波診断装置１００は、超音波映像生成部１１０、タッチ入力部１２０、感知センサ１３０、制御部１４０および表示部１５０を備えている。
【００１４】
超音波映像生成部１１０は、超音波映像を生成する。すなわち、超音波映像生成部１１０は、超音波診断装置１００において患者に対して超音波診断を行い、超音波映像を生成する。
【００１５】
タッチ入力部１２０は、ユーザからタッチインタラクションの入力を受ける。本発明において、タッチインタラクションは、タッチ入力部１２０を介して行われるマルチタッチを含む１つ以上のタッチ操作を含む。即ち、タッチインタラクションは、タップ（Ｔａｐ）、ダブルタップ（Ｄｏｕｂｌｅ  Ｔａｐ）、ドラッグ（Ｄｒａｇ）、ロングタップ（Ｌｏｎｇ  ｔａｐ）、フリック（Ｆｌｉｃｋ）、またはマルチタッチ（Ｍｕｌｔｉ  ｔｏｕｃｈ）などのような多様なタッチ操作を含む。タップは１回のクリック（タッチ）操作を、ダブルタップは２回連続するクリック（タッチ）操作を、また、ドラッグはタッチ入力部１２０にユーザが指を置いた状態で上下または左右に一定の速度で動かす操作である。ロングタップは１点を押し続ける操作を、フリックは特定の命令に関する速い線形の動きを、また、マルチタッチは同時に２つ以上のタッチ地点を押す操作である。
【００１６】
このタッチ入力部１２０は、入力ボタンを操作する代わりにユーザによるタッチ操作によって、超音波診断装置１００に対してユーザが所望する機能を入力することができる手段であり、タッチパッドだけではなく他の多様なタッチ入力手段で実現することができる。
【００１７】
このように、本発明は、タッチインタラクションを適用することにより、必要な多様な機能を提供しながらボタンの数を減らして製品を小型化することができる超音波診断装置１００を提供する。
【００１８】
感知センサ１３０は、タッチ入力部１２０から入力されたユーザのタッチインタラクションを感知する。
【００１９】
制御部１４０は、感知されたタッチインタラクションに従って超音波映像を処理するための操作を制御する。すなわち、制御部１４０は、感知されたタッチインタラクション情報に基づいて超音波映像に対するイメージ（サムネイルイメージなど、映像をイメージ化したもの）または状態（モード）を変更するように制御する。
【００２０】
例えば、制御部１４０は、超音波映像をスキャンしている時にあるタッチインタラクションを感知すると、その指令内容に従って超音波映像に対するイメージまたは状態を変更する。
【００２１】
表示部１５０は、制御部１４０の制御に従って超音波映像を変更し表示する。すなわち、表示部１５０は、制御部１４０の制御に従ってイメージまたは状態が変更された超音波映像を表示する。
【００２２】
図２は、本発明に係るタッチインタラクションの一例としてドラッグ操作を示す。
【００２３】
例えば、図２に示すように、超音波映像をスキャンしている時に、タッチ入力部１２０が、ユーザから一定の速度で上下にドラッグする操作の入力を受けた場合を考える。すると、感知センサ１３０は、その情報を感知する。次に、制御部１４０は、感知センサ１３０の情報に従って、超音波映像のイメージに対する深さ（ｄｅｐｔｈ）を調節する。
【００２４】
図３は、本発明に係るタッチインタラクションの一例としてタップ操作を示す。
【００２５】
図３で、タッチ入力部１２０は、超音波映像をスキャンしている時に、ユーザから１回クリック（タッチ）するタップ操作の入力を受ける。すると、感知センサ１３０は、それを１回クリックするタップ操作のタッチインタラクションとして感知する。これを受けて制御部１４０は、前記感知した情報に基づき、表示している超音波映像の最後のイメージを表示するフリーズ（ｆｒｅｅｚｅ）状態に変更する。  
【００２６】
一方、タッチ入力部１２０は、超音波映像をスキャンしている時にユーザから２つの地点をドラッグする操作が入力されれば、感知センサ１３０はそれを感知し、制御部１４０は、超音波映像に対しズーム（ｚｏｏｍ）機能を制御する。
【００２７】
図４は、本発明に係るタッチインタラクションの一例として円形ドラッグ操作を示す。
【００２８】
図４に示すように、タッチ入力部１２０は、超音波映像をスキャンしている時にユーザから円形ドラッグ操作の入力を受けると、感知センサ１３０は、タッチ入力部１２０から円形ドラッグ操作をタッチインタラクションとして感知する。制御部１４０は、その情報を受けて超音波映像を回転するように制御してもよい。
【００２９】
図５は、本発明に係るタッチインタラクションの一例としてロングタップ（Ｌｏｎｇ  Ｔａｐ）操作を示す。
【００３０】
図５において、タッチ入力部１２０は、超音波映像をスキャンしている時にユーザから１地点を押し続けるロングタップ操作の入力を受ける。感知センサ１３０はそれを感知し、制御部１４０は、超音波映像に対するシネ（Ｃｉｎｅ）イメージを格納するように制御してもよい。
【００３１】
また、制御部１４０は、フリーズ状態で感知されたタッチインタラクションが１回のクリックである場合、超音波映像を再びライブ（ｌｉｖｅ）状態に変更する（戻す）ように制御してもよい。
【００３２】
図６は、本発明に係るタッチインタラクションの一例としてフリック操作を示す。
【００３３】
図６に示すように、タッチ入力部１２０は、フリーズ状態において、ユーザから左右で速度差を有する線形の動きでフリック操作の入力を受ける。感知センサ１３０は、その動きを検知し、図６に示すように、タッチ入力部１２０から、左右に速い速度（速く）から遅い速度（遅く）に速度差を有する線形の動きをタッチインタラクションとして感知することができる。制御部１４０は、フリーズ状態で感知されたタッチインタラクションが左右に速度差を有する線形の動きである場合、イメージ探索バーの移動を制御してもよい。
【００３４】
また、制御部１４０は、フリーズ状態で感知されたタッチインタラクションがサムネイル（ｔｈｕｍｂｎａｉｌ）に対して上下または左右に速度差を有する線形の動きである場合、サムネイルページを転換するように制御することができる。このとき、上下または左右方向は、サムネイルの配置方向によって異なることがある。
【００３５】
また、制御部１４０は、フリーズ状態で、タッチインタラクションが１地点を押し続けると、超音波映像に対するイメージを格納するように制御する。
【００３６】
また、制御部１４０は、感知されたタッチインタラクションによって超音波映像の表示状態（モード）を変更することができる。
【００３７】
図７は、Ｍモードにおいて、本発明に係るタッチインタラクションによって指令内容を変更する様子を示す。
【００３８】
即ち、図７において、制御部１４０は、超音波映像を表示するモードがＭモードであり、感知されたタッチインタラクションが左右にドラッグする操作である場合、ｍライン（Ｍモードライン）の位置を移動させるように制御する。即ち、同図で制御部は、基準画面７００において中心に存在するｍラインが第１変化画面７１０または第２変化画面７２０のように左側または右側に移動するように制御してもよい。
【００３９】
図８は、ＰＷモードにおいて、本発明に係るタッチインタラクションを用いてその内容を変更する例示図である。
【００４０】
即ち、図８において、制御部１４０は、感知されたタッチインタラクションが上下または左右にドラッグする操作である場合、ＳＶ（Ｓａｍｐｌｅ  Ｖｏｌｕｍｅ）の位置を移動するように制御してもよい。例えば、感知されたタッチインタラクションが上側にドラッグする操作である場合、制御部１４０は、基準画面８００において中央に位置したＳＶの位置が第１変化画面８１０のように上側に移動するように制御してもよい。
【００４１】
また、他の一例として、超音波映像を表示するモードがＰＷモードであり、感知されたタッチインタラクションが同時に２つ以上の地点をタッチする操作である場合、制御部１４０は、基準画面８００で提供されるＳＶの大きさが第２変化画面８２０に示すように拡大するように制御してもよい。
【００４２】
図９は、Ｃ（カラー）／ＰＤ（パワードプラー）モードまたは３Ｄスタンバイ状態において、本発明に係るタッチインタラクションにより指令内容を変更する様子を示す。
【００４３】
即ち、図９において、超音波映像を表示するモードがＣ（ｃｏｌｏｒ）モードであり、感知されたタッチインタラクションが上下または左右にドラッグする操作である場合、制御部１４０は、ＲＯＩ（Ｒｅｇｉｏｎ  Ｏｆ  Ｉｎｔｅｒｅｓｔ）の位置を変更するように制御してもよい。例えば、図に示すように感知されたタッチインタラクションが上方にドラッグする操作である場合、基準画面９００で提供される基準ＲＯＩ ９０１の位置が第１変化画面９１０のように第１ＲＯＩ ９１１の位置（上側）に変更するように制御してもよい。
【００４４】
また、超音波映像を表示するモードがＣモードであり、感知されたタッチインタラクションが同時に２つ以上の地点をタッチする操作である場合、制御部１４０は、ＲＯＩの大きさを変更するように制御してもよい。一例として、図９に示すように、制御部１４０は、感知されたタッチインタラクションが同時に２つ以上の地点をタッチする操作が基準よりも大きい場合、基準画面９００で提供される基準ＲＯＩ ９０１の大きさが第２変化画面９２０の第２ＲＯＩ ９２１ように拡大するように制御してもよい。
【００４５】
また制御部１４０は、超音波映像を表示するモードがＰＤ（Ｐｏｗｅｒ  Ｄｏｐｐｌｅｒ）モードであり、感知されたタッチインタラクションが上下または左右にドラッグする操作である場合、ＲＯＩの位置を変更するように制御する。同様に、超音波映像を表示するモードがＰＤモードであり、感知されたタッチインタラクションが同時に２つ以上の地点をタッチする操作である場合、制御部１４０は、ＲＯＩの大きさを変更するように制御してもよい。
【００４６】
超音波映像を表示するモードが３Ｄスタンバイ（Ｓｔａｎｄｂｙ）状態であり、感知されたタッチインタラクションが上下または左右にドラッグする操作である場合、制御部１４０は、ＲＯＩの位置を変更するように制御してもよい。また同様に、感知されたタッチインタラクションが同時に２つ以上の地点をタッチする操作である場合、制御部１４０は、ＲＯＩの大きさを変更するように制御してもよい。
【００４７】
このように、本発明は、多様なタッチインタラクションを適用することにより、各モード別に機能を実行するための操作手順を減らした超音波診断装置を提供してくれる。
【００４８】
上述したように、本発明の好ましい実施形態を参照して説明したが、該当の技術分野において熟練した当業者にとっては、特許請求の範囲に記載された本発明の思想および領域から逸脱しない範囲内で、本発明を多様に修正および変更することができることを理解するであろう。すなわち、本発明の技術的範囲は、特許請求の範囲に基づいて定められ、発明を実施するための最良の形態により制限されるものではない。
【符号の説明】
【００４９】
１００：超音波診断装置
１１０：超音波映像生成部
１２０：タッチ入力部
１３０：感知センサ
１４０：制御部
１５０：表示部
７００、８００、９００：基準画面
７１０、８１０、９１０：第１変化画面
７２０、８２０、９２０：第２変化画面
９０１：基準ＲＯＩ
９１１：第１ＲＯＩ
９２１：第２ＲＯＩ
【図１】
2010269139.tif 000003
【図２】
2010269139.tif 000004
【図３】
2010269139.tif 000005
【図４】
2010269139.tif 000006
【図５】
2010269139.tif 000007
【図６】
2010269139.tif 000008
【図７】
2010269139.tif 000009
【図８】
2010269139.tif 000010
【図９】
2010269139.tif 000011